(57)【要約】【課題】媒体を回収しにきたユーザが到着したタイミングで、最後の媒体を排出する。【解決手段】画像形成装置３は、外部装置２から印刷ジョブが入力された時からの経過した時間を計測する時間計測部２３と、印刷ジョブを解析して、当該印刷ジョブを実行したときに実行開始から最後の媒体の排出完了までにかかる印刷時間を推定する印刷時間推定部２４と、印刷ジョブに対して与えられた印刷猶予時間から、推定された推定印刷時間を減算して待機時間を算出する待機時間算出部２５と、印刷ジョブを実行させる印刷ジョブ発行部２６とを備え、印刷ジョブが入力された時から待機時間が経過したときに、その印刷ジョブを実行する。【選択図】図２
2013111914.tif 000002
【特許請求の範囲】
【請求項１】
外部装置から入力される印刷ジョブを実行して、媒体に画像を形成して排出する画像形成装置であって、
前記印刷ジョブが入力された時からの経過した時間を計測する時間計測部と、
前記印刷ジョブを解析し、当該印刷ジョブを実行し始めてから、最後の前記媒体が排出されて当該印刷ジョブが完了するまでにかかる印刷時間を推定する印刷時間推定部と、
前記印刷ジョブに対して与えられた印刷猶予時間から、前記推定された推定印刷時間を減算して待機時間を算出する待機時間算出部と、
前記印刷ジョブを実行させる印刷ジョブ発行部とを備え、
前記印刷ジョブが入力された時から前記待機時間が経過したときに、その印刷ジョブを実行することを特徴とする画像形成装置。
【請求項２】
前記印刷猶予時間は、前記印刷ジョブと共に入力されることを特徴とする請求項１に記載された画像形成装置。
【請求項３】
前記排出された媒体がユーザに回収されたことを入力する回収完了指示部を備え、
前記印刷猶予時間は、前記印刷ジョブが入力された時から、その印刷ジョブが実行されて排出された媒体がユーザに回収されるまでの時間であることを特徴とする請求項１に記載された画像形成装置。
【請求項４】
前記印刷ジョブが入力された時から、当該印刷ジョブを入力した外部装置から回収完了指示が入力されるまでの回収時間を計測する回収時間計測部と、
前記回収時間を逐次記憶する回収時間記憶部とを備え、
前記印刷猶予時間は、前記回収時間記憶部に記憶された過去の回収時間の平均時間であることを特徴とする請求項１に記載された画像形成装置。
【請求項５】
前記最後の媒体の排出を検知する印刷完了検知部と、
前記外部装置にて回収完了指示を入力可能にするメッセージを作成する回収完了入力要求メッセージ作成部とを備え、
前記印刷完了検知部が検知したときに、前記回収完了入力要求メッセージ作成部が作成したメッセージを、前記最後の媒体に係る印刷ジョブを入力した外部装置に送信することを特徴とする請求項４に記載された画像形成装置。
【請求項６】
排出された媒体を回収したユーザにより回収完了指示が入力される回収完了指示部と、
前記排出された媒体に係る印刷ジョブが入力された時から、前記回収完了指示が入力されるまでの回収時間を計測する回収時間計測部と、
前記回収時間を逐次記憶する回収時間記憶部とを備え、
前記印刷猶予時間は、前記回収時間記憶部に記憶された過去の回収時間の平均時間であることを特徴とする請求項１に記載された画像形成装置。
【請求項７】
前記回収完了指示部は、ユーザを特定する情報を記録する記録媒体を読み取ることで、前記回収完了指示が入力されることを特徴とする請求項６に記載された画像形成装置。
【請求項８】
前記待機時間算出部は、前記推定印刷時間が前記印刷猶予時間以上であれば、すぐに前記印刷ジョブ発行部に前記印刷ジョブを実行させることを特徴とする請求項１に記載された画像形成装置。
【請求項９】
外部装置から入力される印刷ジョブを実行し、媒体に画像を形成する画像形成装置であって、
前記印刷ジョブと共に印刷完了指定時間が入力され、前記印刷ジョブを解析し、当該印刷ジョブを実行し始めてから完了するまでにかかる印刷時間を推定し、前記印刷ジョブを受信したときから、前記印刷完了指定時間から前記印刷時間を減算した時間が経過したときに、前記印刷ジョブを実行することを特徴とする画像形成装置。
【請求項１０】
外部装置から入力される印刷ジョブを実行することで画像処理を行い媒体に画像を形成する画像形成装置であって、
前記印刷ジョブと共に印刷完了指定時刻が入力され、前記印刷ジョブを解析し、当該印刷ジョブを実行し始めてから完了するまでにかかる印刷時間を推定し、前記印刷完了指定時刻より前記印刷時間だけ前の時刻に、前記印刷ジョブを実行することを特徴とする画像形成装置。
【請求項１１】
外部装置から入力される印刷ジョブを実行して、媒体に画像を形成して排出する画像形成装置であって、
前記印刷ジョブが入力された時から、当該印刷ジョブに対して与えられた印刷猶予時間に達したときに、最後の媒体を排出することを特徴とする画像形成装置。
【発明の詳細な説明】
【技術分野】
【０００１】
本発明は、画像形成装置に関し、特に、ユーザのニーズに応じた時間に印刷を行う画像形成装置に関する。
【背景技術】
【０００２】
従来、ユーザのスケジュールを管理するスケジュール管理手段を備え、予め登録されたユーザの空き時間（ユーザが印刷物を回収することができる時間）のスケジュールと、すでに決定している印刷実行予定時間とを比較し、ユーザの空き時間に印刷することができる画像形成装置があった（特許文献１）。
【先行技術文献】
【特許文献】
【０００３】
【特許文献１】特開２００６−８８６４１号公報
【発明の概要】
【発明が解決しようとする課題】
【０００４】
しかしながら、従来の画像形成装置は、印刷時間が予め登録されたユーザの空き時間に限定されるため、印刷物がすぐに必要である場合であっても、ユーザは、次の空き時間の時刻になるまで印刷することができなかった。
また、従来の画像形成装置は、ユーザの空き時間のどの時点において印刷が完了するのかをユーザが知ることができないため、ユーザが画像形成装置の設置場所に到着したときに、まだ印刷中で自分の印刷物の印刷が完了するまで待機させられることがある。また、早々にユーザの印刷物が排紙トレイに排出されるときもあり、その後で他人の印刷物が印刷されたことにより、ユーザが画像形成装置に到着したときには、自分の印刷物の上に他人の印刷物が積載された状態であり、画像形成装置の排紙トレイから自分の印刷物（媒体）を探し出す作業を行う必要があった。
【０００５】
本発明は、以上のような問題を解決するためになされたものであり、媒体を回収しにきたユーザが到着したタイミングで、最後の媒体を排出する画像形成装置を提供することを課題とする。
【課題を解決するための手段】
【０００６】
前記課題を解決するために、本発明の画像形成装置は、外部装置から入力される印刷ジョブを実行して、媒体に画像を形成して排出する画像形成装置において、前記印刷ジョブが入力された時からの経過した時間を計測する時間計測部と、前記印刷ジョブを解析し、当該印刷ジョブを実行し始めてから、最後の前記媒体が排出されて当該印刷ジョブが完了するまでにかかる印刷時間を推定する印刷時間推定部と、前記印刷ジョブに対して与えられた印刷猶予時間から、前記推定された推定印刷時間を減算して待機時間を算出する待機時間算出部と、前記印刷ジョブを実行させる印刷ジョブ発行部とを備え、前記印刷ジョブが入力された時から前記待機時間が経過したときに、その印刷ジョブを実行する。
【０００７】
かかる構成において、画像形成装置は、ユーザが外部装置にて印刷要求をしてから、印刷猶予時間後に最終の媒体を排出することができる。
この印刷猶予時間を、ユーザが外部装置から画像形成装置までの移動などにかかる時間に設定することで、ユーザが画像形成装置に到着したタイミングで印刷物すべてを回収することができる。
【発明の効果】
【０００８】
本発明によれば、印刷物を回収しにきたユーザが到着したタイミングで、媒体の最後のページを排出することができる。
【図面の簡単な説明】
【０００９】
【図１】本発明に係る画像形成装置を含む画像形成システムの全体構成図である。
【図２】第１の実施形態に係る画像形成装置のブロック図である。
【図３】印刷ジョブを画像処理部に出力するタイミングを示す図である。
【図４】第１〜３の実施形態における印刷時間管理処理動作のフローチャートである。
【図５】第１の実施形態における受信データ解析処理動作のフローチャートである。
【図６】第１の実施形態における待機時間推定処理動作のフローチャートである。
【図７】第１〜３の実施形態における時間計測処理動作のフローチャートである。
【図８】第２の実施形態に係る画像形成装置のブロック図である。
【図９】印刷ジョブを画像処理部に出力するタイミングを示す図である。
【図１０】第２の実施形態における回収完了通知処理動作のフローチャートである。
【図１１】第２〜３の実施形態における受信データ解析処理動作のフローチャートである。
【図１２】第２〜３の実施形態における待機時間推定処理動作のフローチャートである。
【図１３】第２の実施形態における印刷完了入力要求処理動作のフローチャートである。
【図１４】第３の実施形態に係る画像形成装置のブロック図である。
【図１５】第３の実施形態における回収完了通知処理動作のフローチャートである。
【発明を実施するための形態】
【００１０】
次に、本発明の実施形態について、適宜、図面を参照しながら詳細に説明する。
以下、図面を参照して、本発明の実施の形態（以下、「本実施形態」と称する）につき詳細に説明する。なお、各図は、本発明について概略的に示してあるに過ぎない。よって、本発明は、図示例のみに限定されるものではない。また、各図において、共通する構成要素や同様な構成要素については、同一の符号を付し、それらの重複する説明を省略する。
【００１１】
《第１の実施形態》
［画像形成システム１の構成］
図１に示すように、画像形成システム１は、外部装置であるクライアント装置２（２ａ，２ｂ，・・・）と、画像形成装置３と、クライアント装置２と画像形成装置３とを通信可能に接続するネットワーク網ＮＷとを備える。
【００１２】
この画像形成システム１は、ユーザ６がクライアント装置２（２ａ）を操作して、画像形成装置３に印刷指示をした後、ユーザ６が媒体である印刷物を回収しに画像形成装置３に移動する。ユーザ６が画像形成装置３の設置場所に到着したとほぼ同時に、画像形成装置３から印刷物の最後のページ（最終ページ）が排出されるように構成されている。
【００１３】
ネットワーク網ＮＷは、例えば、有線ＬＡＮ（Local Area Network）などを介して、インターネットプロトコル（Internet Protocol）技術を利用して相互接続されるコンピュータネットワークである。また、第１の実施形態では、有線ＬＡＮ以外にも、無線ＬＡＮ、ZigBee（登録商標）やBluetooth（登録商標）などの無線通信ネットワークであってもよい。
【００１４】
クライアント装置２は、印刷ジョブを送信する機能を備えるコンピュータであり、決められた場所で通信を行うコンピュータであることが望ましい。例えば、デスクトップパソコン（ＰＣ；Personal Computer）である。また、第１の実施形態では、デスクトップＰＣ以外にも、無線ＬＡＮやBluetooth（登録商標）などの無線通信ネットワークに接続可能なノートＰＣや、携帯電話、デジタルカメラ、ＰＤＡ（Personal Digital Assistant）などでもよい。
【００１５】
また、クライアント装置２は、印刷ジョブとともに「印刷完了指定時間」を送信して、ユーザ６が印刷指示を入力したときから印刷完了指定時間後に、印刷物の最終ページが画像形成装置３から排出されることを要求する。この印刷完了指定時間は、ユーザ６が設定可能な時間であり、例えば、印刷完了指定時間を「３分」と設定して印刷開始ボタンを押下することで、押下してから３分後に画像形成装置３から最終ページが排出されることを要求する。
ここで、第１の実施形態における印刷猶予時間は、印刷完了指定時間である。
【００１６】
第１の実施形態に係る画像形成装置３は、図２に示すように、ネットワーク網ＮＷに接続する通信部１１と、画像形成装置３全体を制御する制御部１２と、時刻を取得するタイマ部１３と、プログラムやデータを記憶する記憶部１４と、画像データに画像処理を行う画像処理部１５と、画像処理後の画像を用紙などの媒体に形成する画像形成部１６とを備える。すなわち、画像形成装置３は、クライアント装置２からの画像処理要求で取得した画像データに画像処理を行い、画像を媒体に形成する。
【００１７】
第１の実施形態に係る画像形成装置３は、例えば、電子写真記録方式のプリンタ、複写機、ＭＦＰ（MultiFunction Printer：複合機）などであるが、いかなる種類の画像形成装置であってもよい。
【００１８】
（通信部１１）
通信部１１は、ネットワーク網ＮＷと接続する外部接続部（不図示）を制御して、クライアント装置２とデータの送受信を行う構成部である。クライアント装置２からデータを受信した通信部１１は、その受信データを制御部１２（後記する受信データ解析部２１）に出力する。
【００１９】
（制御部１２）
制御部１２は、例えば、ＣＰＵ（Central Processing Unit）で構成される。各構成部の制御部としての機能は、ＣＰＵが後記する記憶部１４に格納されるプログラムを展開し、実行することによって実現される。
第１の実施形態において制御部１２は、受信データ解析部２１と、印刷ジョブ受付部２２と、時間計測部２３と、印刷時間推定部２４と、待機時間算出部２５と、印刷ジョブ発行部２６とを備える。この制御部１２が備える各構成部の詳細は後記する。
【００２０】
（記憶部１４）
第１の実施形態において記憶部１４は、プログラムやデータを記憶する構成部であると共に、「印刷完了指定時間」を記憶する指定時間記憶部１４１を備える構成部である。この指定時間記憶部１４１は、データを記憶する構成部である。第１の実施形態において、指定時間記憶部１４１は、一時的にデータを記憶すればよいため、例えば、ＲＡＭ（Random Access Memory）でよい。また、データを長期に記憶しておく必要はないが、ＨＤ（Hard Disc）や光ディスク等でもよい。
【００２１】
（画像処理部１５）
画像処理部１５は、印刷ジョブを解析して、印刷ジョブに含まれる画像データに画像処理を行う構成部である。制御部１２が画像処理部１５を備えてもよい。
【００２２】
（画像形成部１６）
画像形成部１６は、現像装置、露光装置、感光ドラム、現像ローラ、転写ローラ、定着部などを備え、ＣＰＵ（制御部１２）に制御されて、用紙などの媒体上に画像を形成（印刷）する構成部である。画像形成部１６は、内部に備える駆動部（各種ローラやベルト）を駆動することで、給紙カセットに載置された媒体を搬送する。画像形成部１６は、画像処理部１５による画像処理後の画像データに基づき露光装置が感光ドラムに静電潜像を形成し、現像ローラから電界の力によってトナーを移動して、静電潜像にトナーを付着させたトナー画像を形成する。感光ドラムに形成されたトナー画像を転写ローラで媒体に転写し、定着器（ヒータ）を用いて媒体上にトナー画像を加熱定着して、画像を形成（印刷）して、排紙トレイに排出する。これにより、ユーザ６は、画像形成装置３から排出された媒体（印刷物）を回収することができる。
【００２３】
制御部１２が備える各構成部について説明する。
（受信データ解析部２１）
受信データ解析部２１は、受信データを解析して、そこから得られたデータや情報を他の構成部に提供する構成部である。第１の実施形態において受信データ解析部２１は、受信データが印刷ジョブであれば、印刷ジョブを印刷ジョブ受付部２２に出力し、さらに印刷ジョブに付与された「印刷完了指定時間」を記憶部１４（指定時間記憶部１４１）に記憶させる。
【００２４】
（印刷ジョブ受付部２２）
印刷ジョブ受付部２２は、受信データ解析部２１から印刷ジョブを受け付ける構成部である。この印刷ジョブ受付部２２は、印刷ジョブを取得すると、印刷ジョブ受付完了通知を時間計測部２３および待機時間算出部２５に出力する。また、取得した印刷ジョブを印刷時間推定部２４および印刷ジョブ発行部２６に出力する。
【００２５】
（時間計測部２３）
時間計測部２３は、印刷ジョブ受付完了通知を取得したとき（つまり、印刷ジョブを受信した受付時刻）からの時間（経過時間）を計測する構成部であり、時間計測部２３は、タイマ部１３から現在時刻を取得して経過時間を計測する。また、時間計測部２３は、印刷ジョブ発行部２６からの要求に応じて、そのときの経過時間を出力する。
【００２６】
（印刷時間推定部２４）
印刷時間推定部２４は、印刷ジョブを解析して、その内容から、その印刷ジョブを画像処理部１５が実行開始してから、全ての印刷された媒体が排出される（印刷完了）までにかかる時間（推定印刷時間）を推定する構成部である。印刷時間推定部２４は、推定印刷時間を待機時間算出部２５に出力する。
この推定印刷時間は、例えば、印刷ジョブの情報量や、印刷ジョブに含まれるデータの構成（文書データ、画像データなど）、画像データの画素数、指定された印刷品質、画像処理部１５および画像形成部１６の処理能力などに基づき算出することができる。
【００２７】
例えば、画像処理部１５は、描画コマンドを実行して、その描画コマンドにより単位面積の図形が描画されるまでに費やした標準描画時間を予め実験で求めておく。そして、これらの時間を記憶部１４に記憶しておく。この実験を画像処理部１５が実行可能な描画コマンド全てに対して行い、各描画コマンドの標準描画時間を記憶部１４に記憶しておく。
【００２８】
印刷時間推定部２４は、印刷ジョブを解析して、その印刷ジョブに含まれる描画コマンドを全て抽出し、各描画コマンドの標準描画時間を記憶部１４から取得する。
そして、印刷時間推定部２４は、印刷ジョブに含まれる描画コマンドが描画しようとする図形のサイズと、単位面積の図形とを比較して面積比率を求め、さらに、その面積比率と標準描画時間とから、その描画コマンドにより描画対象図形が描画されるまでに費やされると推定される時間（推定描画時間）を求める。こうして、印刷時間推定部２４は、各描画コマンドの推定描画時間を求めて、各推定描画時間の合計値を、印刷ジョブの推定印刷時間とする。
【００２９】
ここで、四角形描画コマンドにより四角形が描画されるのに費やされると推定される時間（推定描画時間）を求める例を示す。
画像処理部１５は予め実験で、四角形描画コマンドを実行して、単位面積の四角形を描画させる。このとき、単位面積の四角形の縁を描く時間と、当該四角形の縁の内側を塗り潰すのに費やす時間との合計時間を標準描画時間として記憶部１４に記憶しておく。
そして、印刷時間推定部２４は、印刷ジョブに含まれる四角形描画コマンドが描画しようとする四角形のサイズと、四角形の単位面積とを比較して面積比率を求め、さらに、その面積比率と、記憶部１４に記憶された標準描画時間とから、その四角形描画コマンドの推定描画時間を求める。
【００３０】
文字を描画する場合も同様に、画像処理部１５は予め実験で、文字ごとに、単位サイズの描画時間と、文字の塗り潰し時間との合計時間（標準描画時間）を求めて、記憶部１４に記憶しておく。そして、印刷時間推定部２４は、処理時間を推定したい印刷ジョブに含まれる描画コマンドが描画しようとする文字のサイズと、その文字の単位サイズとを比較してサイズ比率を求め、さらに、そのサイズ比率と、記憶部１４に記憶された標準描画時間とから、描画コマンドの推定描画時間を求める。
【００３１】
（待機時間算出部２５）
待機時間算出部２５は、取得した情報に基づき、待機時間を出力する構成部である。
この待機時間算出部２５は、印刷ジョブ受付部２２から印刷ジョブ受付完了通知を取得したときに処理を開始する。まず、待機時間算出部２５は、印刷時間推定部２４から推定印刷時間を取得し、記憶部１４（指定時間記憶部１４１）に記憶された印刷完了指定時間を取得する。
そして、待機時間算出部２５は、推定印刷時間と印刷完了指定時間とを比較する。比較の結果、推定印刷時間≧印刷完了指定時間であれば、待機時間＝０として印刷ジョブ発行部２６に出力する。一方、推定印刷時間＜印刷完了指定時間であれば、印刷完了指定時間から推定印刷時間を減算して得られる時間を待機時間として印刷ジョブ発行部２６に出力する。
【００３２】
（印刷ジョブ発行部２６）
印刷ジョブ発行部２６は、所定の条件を満たす時間になった時に、印刷ジョブを画像処理部１５に出力する構成部である。
まず、印刷ジョブ発行部２６は、印刷ジョブ受付部２２から取得した印刷ジョブを一時的に保持する。そして、待機時間算出部２５から取得した待機時間が０であれば（待機時間＝０）、保持する印刷ジョブをすぐに画像処理部１５に出力する。一方、待機時間が０でなければ（待機時間＞０）、印刷ジョブ発行部２６は、所定のタイミングで時間計測部２３から経過時間（印刷ジョブを受信してからの時間）を取得する処理を開始する。この処理において、取得した経過時間が、待機時間以上の時間（経過時間≧待機時間）となった時、印刷ジョブ発行部２６は保持する印刷ジョブを画像処理部１５に出力する。
【００３３】
図３は、第１の実施形態における印刷ジョブ発行部２６が印刷ジョブを画像処理部１５に出力するタイミングを示す図である。ここで、ｔ0は、画像形成装置３が印刷ジョブを受信した時であり、すなわち、時間計測部２３が印刷ジョブ受付完了通知を取得し、経過時間を計測し始めた時である。また、Ｔ１は印刷完了指定時間（印刷猶予時間）であり、Ｔ３は推定印刷時間である。すなわち、ｔ0からＴ２時間だけ待機してからｔ1の時に、印刷ジョブ発行部２６が印刷ジョブを画像処理部１５に出力することで、画像形成装置３は印刷を開始する。これにより、ｔ1からＴ３時間後のｔ2の時に、画像形成装置３から印刷物の最終ページが排出されることとなる。このＴ２が待機時間算出部２５により算出される待機時間である。
【００３４】
第１の実施形態に係る画像形成装置３によれば、印刷するごとに「印刷完了指定時間」を設定することができるため、クライアント装置２から画像形成装置３までの移動時間が常に一定でなくてもよい。そのため、クライアント装置２は、設置場所が固定されたデスクトップＰＣが有線ＬＡＮで通信ネットワークに接続可能な端末であるが、無線ＬＡＮやBluetooth（登録商標）などの無線通信ネットワークを用いて印刷ジョブを送信可能な端末であってもよい。
【００３５】
《動作の説明》
画像形成装置３が行う処理動作について説明する。
［印刷時間管理処理］
まず、図４を参照して、画像形成装置３の印刷時間管理処理動作について説明する（適宜、図１ないし図３を参照）。
画像形成装置３が備える通信部１１は、ネットワーク網ＮＷを介して受信した受信データを受信データ解析部２１に出力する。受信データ解析部２１は、受信データを解析し、その受信データが印刷ジョブであれば、印刷時間管理処理を開始する。
【００３６】
まず、受信データ解析部２１が受信データから印刷ジョブを取得し（ステップＳ１０１）、受信データ解析処理を実行する（ステップＳ１０２，図５）。後記する受信データ解析処理により、印刷ジョブが印刷時間管理部４に出力され、印刷ジョブ受付部２２は、印刷ジョブを取得する（ステップＳ１０３）。
【００３７】
［受信データ解析処理］
ここで、図５を参照して、画像形成装置３の受信データ解析処理動作について説明する（適宜、図１ないし図３を参照）。
受信データ解析部２１は、ステップＳ１０１（図４）で取得した印刷ジョブを、印刷ジョブ受付部２２に出力する（ステップＳ２０１）。
また、受信データ解析部２１は、受信データを解析したときに、印刷ジョブに付与された印刷完了指定時間Ｔ１を取得し、この印刷完了指定時間Ｔ１を指定時間記憶部１４１に記憶させる（ステップＳ２０２）。そして、受信データ解析部２１は、受信データ解析処理を終了する。
【００３８】
再び図４に戻り、印刷時間管理動作について説明する。
印刷ジョブ受付部２２は、ステップＳ１０３で印刷ジョブを取得したときに、印刷ジョブ受付完了通知を時間計測部２３および待機時間算出部２５に出力し（ステップＳ１０４）、さらに、印刷ジョブを印刷時間推定部２４および印刷ジョブ発行部２６に出力する（ステップＳ１０５）。
これにより、印刷ジョブ受付完了通知を取得した時間計測部２３は、後記する時間計測処理（図７）を実行する。また、印刷ジョブを取得した印刷ジョブ発行部２６は、印刷ジョブを一時的に保持する。
印刷ジョブを取得した印刷時間推定部２４は、印刷ジョブを解析して、その内容に基づき推定印刷時間Ｔ３を算出する（ステップＳ１０６）。
印刷ジョブ受付完了通知を取得した待機時間算出部２５は、待機時間推定処理を実行する（ステップＳ１０７，図６）。
【００３９】
［待機時間推定処理動作］
ここで、図６を参照して、画像形成装置３の待機時間推定処理動作について説明する（適宜、図１ないし図３を参照）。
待機時間算出部２５は、印刷時間推定部２４からステップＳ１０６（図４）で算出した推定印刷時間Ｔ３を取得し（ステップＳ３０１）、さらに待機時間算出部２５は、指定時間記憶部１４１から印刷完了指定時間Ｔ１を取得する（ステップＳ３０２）。そして、待機時間算出部２５は、推定印刷時間Ｔ３と印刷完了指定時間Ｔ１との時間長を比較する（推定印刷時間＜印刷完了指定時間？；ステップＳ３０３）。
【００４０】
推定印刷時間Ｔ３＜印刷完了指定時間Ｔ１である場合（ステップＳ３０３，Ｙｅｓ）、待機時間Ｔ２を印刷完了指定時間Ｔ１から推定印刷時間Ｔ３を減算した時間とする（ステップＳ３０４）。
一方、推定印刷時間Ｔ３≧印刷完了指定時間Ｔ１である場合（ステップＳ３０３，Ｎｏ）、待機時間Ｔ２を０とする（ステップＳ３０５）。
そして、待機時間算出部２５は、ステップＳ３０４またはステップＳ３０５の処理を実行後、印刷ジョブ発行部２６に待機時間Ｔ２を出力し（ステップＳ３０６）、待機時間推定処理を終了する。
【００４１】
再び図４に戻り、印刷時間管理動作について説明する。
印刷ジョブ発行部２６は待機時間Ｔ２を取得し（ステップＳ１０８）、その待機時間Ｔ２が０より大きいか否かを判定する（待機時間＞０？；ステップＳ１０９）。
待機時間Ｔ２が０である場合（ステップＳ１０９，Ｎｏ）、後記するステップＳ１１２の処理を実行する。
一方、待機時間Ｔ２＞０である場合（ステップＳ１０９，Ｙｅｓ）、印刷ジョブ発行部２６は時間計測部２３から経過時間を取得し（ステップＳ１１０）、ステップＳ１１１の比較処理を行う。
【００４２】
ステップＳ１１１において、印刷ジョブ発行部２６は、ステップＳ１１０で取得した経過時間と、ステップＳ１０８で取得した待機時間Ｔ２とを比較する（経過時間≧待機時間？；ステップＳ１１１）。
経過時間＜待機時間Ｔ２である場合（ステップＳ１１１，Ｎｏ）、再びステップＳ１１０の処理を実行する。このようにして、印刷タイミングまで待機する。
一方、経過時間≧待機時間Ｔ２である場合（ステップＳ１１１，Ｙｅｓ）、印刷ジョブ発行部２６は印刷ジョブを画像処理部１５に出力する（ステップＳ１１２）。
【００４３】
その後、画像形成装置３は、画像処理部１５が印刷ジョブを解析して、印刷ジョブに含まれる画像データに画像処理を行い、画像形成部１６は、内部に備える駆動部（各種ローラやベルト）を駆動して、給紙カセットに載置された媒体を搬送し、定着器（ヒータ）を用いて媒体上にトナー画像を加熱定着して、画像を形成（印刷）して、印刷物を排紙トレイに排出する。
【００４４】
［時間計測処理］
ここで、図７を参照して、画像形成装置３の時間計測処理動作について説明する（適宜、図１ないし図３を参照）。
まず、時間計測部２３は、図４のステップＳ１０５にて、印刷ジョブ受付部２２が出力した印刷ジョブ受付完了通知を取得する（ステップＳ４０１）。これにより、時間計測部２３は図７に示す時間計測処理（ステップＳ４００）を開始する。このとき制御部１２は、この時間計測処理と、印刷時間管理処理（図４）とを行う。
印刷ジョブ受付部２２は、タイマ部１３から現在時刻を取得し、その時刻を受付時刻とする（ステップＳ４０２）。そして、印刷ジョブ受付部２２は、タイマ部１３から現在時刻を取得し、受付時刻からの経過時間を算出する（ステップＳ４０３）。このステップＳ４０３の処理を所定時間間隔で繰り返し行い、最新の経過時間を算出する。
【００４５】
《第２の実施形態》
第２の実施形態に係る画像形成装置３Ａについて説明する。
画像形成装置３Ａは、図８に示すように、第１の実施形態に係る画像形成装置３の制御部１２Ａに、さらに、回収時間計測部２７と、回収完了入力要求メッセージ作成部２２１と、印刷完了検知部２３１とを備え、さらに、記憶部１４において、指定時間記憶部１４１の代わりに、回収時間記憶部１４２を備える。また、画像形成装置３Ａは、第１の実施形態に係る画像形成装置３とは一部機能が異なる構成部を備える。これらの構成部には同名称別符号を付し、通信部１１Ａ、受信データ解析部２１Ａ、時間計測部２３Ａ、待機時間算出部２５Ａとした。詳細な説明は後記する。
その他の構成は同様なので、説明を便宜的に省略する。
【００４６】
第２の実施形態におけるクライアント装置２は、印刷ジョブを送信後、ユーザ６に回収完了入力要求を通知する機能と、回収完了通知を画像形成装置３Ａに出力する機能とを備える。
クライアント装置２は、印刷ジョブを送信後、クライアント装置２が備える画面表示部（不図示）に回収完了入力要求画面を表示させ、ユーザ６に「回収完了ボタン」の押下を促す。ユーザ６がキーボードやマウスなどの操作部（不図示）を操作して「回収完了ボタン」を押下することによって、クライアント装置２は、回収完了通知を通信データとして画像形成装置３Ａに送信する。
【００４７】
回収時間計測部２７は、印刷ジョブを受信した時から、ユーザ６がクライアント装置２から送信した後記する回収完了通知を受信した時までの時間（回収時間）を回収時間記憶部１４２に記憶させる構成部である。また、今までの回収時間の平均を算出して平均回収時間を回収時間記憶部１４２に記憶させる構成部でもある。
この回収時間計測部２７は、受信データ解析部２１Ａから回収完了通知を取得したときに、時間計測部２３Ａから経過時間を取得し、この経過時間を回収時間として回収時間記憶部１４２に記憶させる。
【００４８】
この回収時間は、印刷ジョブ受付部２２からの印刷ジョブ受付完了通知を取得した時（つまり、印刷ジョブを受信した時）から、受信データ解析部２１Ａからの回収完了通知を取得した時までの時間である。
【００４９】
ここで、第２の実施形態における理想的な印刷猶予時間は、回収時間である。この点で第１の実施形態における印刷猶予時間と異なる。この回収時間は、第２の実施形態に係る画像形成装置３Ａによれば、クライアント装置２ａからの印刷ジョブを受信した時から、ユーザ６が画像形成装置３にて印刷物を回収してクライアント装置２ａに戻り、クライアント装置２からの回収完了通知を受信したときまでの時間である。すなわち、第２の実施形態における回収時間は、クライアント装置２の設置場所と画像形成装置３の設置場所との間をユーザ６が往復移動するのに要する時間である。そこで、第２の実施形態における印刷猶予時間は、過去に計測した回収時間の平均値（平均回収時間）とする。
【００５０】
回収完了入力要求メッセージ作成部２２１は、クライアント装置２が備える画像表示装置（不図示）に回収完了ボタンを表示させる回収完了入力要求メッセージを作成する構成部である。この回収完了入力要求メッセージ作成部２２１は、印刷ジョブを送信したクライアント装置２宛ての回収完了入力要求メッセージを作成し、通信部１１Ａに出力する。
【００５１】
印刷完了検知部２３１は、例えば赤外線センサを備え、画像形成装置３Ａの印刷物の排出口から排出される媒体の通過を検知する。そして、最終ページの媒体が通過したことを検知したときに、回収完了入力要求メッセージ作成部２２１に検知信号を出力する。
【００５２】
第２の実施形態において記憶部１４は、回収時間記憶部１４２を備える。この回収時間記憶部１４２は、過去のデータを記憶しておく構成部であり、例えば、ＨＤ（Hard Disc）や光ディスク等である。回収時間記憶部１４２は、過去の回収時間と、平均回収時間とを記憶する。
【００５３】
通信部１１Ａは、ネットワーク網ＮＷと接続する外部接続部（不図示）を制御して、クライアント装置２とデータの送受信を行う構成部である。クライアント装置２からデータを受信した通信部１１Ａは、その受信データを受信データ解析部２１Ａに出力する。
また、通信部１１Ａは、回収完了入力要求メッセージ作成部２２１から取得した、クライアント装置２宛ての回収完了入力要求メッセージを、ネットワーク網ＮＷを介して、クライアント装置２に送信する。
【００５４】
受信データ解析部２１Ａは、受信データを解析して、そこから得られたデータや情報を他の構成部に提供する構成部である。第２の実施形態において受信データ解析部２１Ａは、受信データが印刷ジョブであれば、印刷ジョブを印刷ジョブ受付部２２に出力する。また、受信データが回収完了通知の通信データであれば、回収完了通知を回収時間計測部２７に出力する。
【００５５】
時間計測部２３Ａは、タイマ部１３から時刻を取得して、印刷ジョブ受付完了通知を取得した時（つまり、印刷ジョブを受信した時）からの時間（経過時間）を計測する。
また、印刷ジョブ発行部２６や回収時間計測部２７からの要求に応じて、そのときの経過時間を出力する。
【００５６】
（待機時間算出部２５Ａ）
待機時間算出部２５Ａは、取得した情報に基づき、発行トリガを出力する構成部である。
この待機時間算出部２５Ａは、印刷ジョブ受付部２２から印刷ジョブ受付完了通知を取得した時に処理を開始する。まず、待機時間算出部２５Ａは、印刷時間推定部２４から推定印刷時間を取得し、記憶部１４（回収時間記憶部１４２）に記憶された平均回収時間を取得する。
そして、待機時間算出部２５Ａは、推定印刷時間と、平均回収時間を２で除算した「平均回収時間／２」とを比較する。平均回収時間を２で除算することで、クライアント装置２の設置場所と画像形成装置３Ａの設置場所との間をユーザ６が片道移動するのに要する時間を算出する。
比較の結果、推定印刷時間≧平均回収時間／２であれば、待機時間＝０として印刷ジョブ発行部２６に出力する。一方、推定印刷時間＜平均回収時間／２であれば、平均回収時間／２から推定印刷時間を減算して得られる時間を待機時間として印刷ジョブ発行部２６に出力する。
【００５７】
図９は、第２の実施形態における印刷ジョブ発行部２６が印刷ジョブを画像処理部１５に出力するタイミングを示す図である。ここで、ｔ0は、画像形成装置３が印刷ジョブを受信した時であり、すなわち、時間計測部２３Ａが印刷ジョブ受付完了通知を取得し、経過時間を計測し始めた時である。ｔ3は、クライアント装置２から回収完了通知を受信した時である。また、Ｔ４は平均回収時間（印刷猶予時間）であり、Ｔ３は推定印刷時間である。すなわち、ｔ0からＴ２時間だけ待機してからｔ1の時に、印刷ジョブ発行部２６が印刷ジョブを画像処理部１５に出力することで、画像形成装置３は印刷を開始する。これにより、ｔ1からＴ３時間後のｔ2の時に、画像形成装置３から印刷物の最終ページが排出されることとなる。このＴ２が待機時間算出部２５により、「平均回収時間Ｔ４／２−推定印刷時間Ｔ３」で算出される待機時間である。
【００５８】
《動作の説明》
画像形成装置３Ａが行う処理動作について説明する。
ここで、画像形成装置３Ａが行う印刷時間管理処理（図４）および時間計測処理（図７）については、第１の実施形態にかかる画像形成装置３と同様の処理が行われるので、説明を便宜的に省略する。
【００５９】
［回収完了通知処理］
ここで、図１０を参照して、画像形成装置３Ａの回収完了通知処理動作について説明する（適宜、図４および図９を参照）。この回収完了通知処理は、印刷時間管理処理（図４）の実行後に行われる処理である。
画像形成装置３Ａにて、排出された印刷物を手に入れたユーザ６は、印刷指示をしたクライアント装置２が設置された場所に戻り、クライアント装置２を操作して画像表示装置（不図示）に表示された回収完了ボタンを押下することで、クライアント装置２は回収完了通知を通信データとして画像形成装置３Ａに送信する。これにより、画像形成装置３Ａの受信データ解析部２１Ａは、通信部１１Ａを介して通信データを取得する。
受信データ解析部２１Ａは、この回収完了通知の通信データを解析して、回収完了通知を取得し（ステップＳ２１０１）、回収時間計測部２７に出力する（ステップＳ２１０２）。
【００６０】
回収時間計測部２７は、回収完了通知を取得した時に、時間計測部２３Ａから経過時間を取得し（ステップＳ２１０３）、この経過時間を回収時間として回収時間記憶部１４２に記憶させる（ステップＳ２１０４）。そして、回収時間計測部２７は、回収時間記憶部１４２に記憶された過去の回収時間を抽出する（ステップＳ２１０５）。ステップＳ２１０４の処理で取得した経過時間（回収時間）と、ステップＳ２１０５の処理で抽出した過去の回収時間との平均値（平均回収時間Ｔ４）を算出し（ステップＳ２１０６）、平均回収時間Ｔ４を回収時間記憶部１４２に上書き記憶させる（ステップＳ２１０７）。そして、回収完了通知処理を終了する。
【００６１】
［受信データ解析処理］
ここで、図１１を参照して、画像形成装置３Ａの受信データ解析処理について説明する（適宜、図４を参照）。
受信データ解析部２１Ａは、ステップＳ１０１（図４）で取得した印刷ジョブを、印刷ジョブ受付部２２に出力する（ステップＳ２２０１）。そして、受信データ解析部２１Ａは、受信データ解析処理を終了する。
【００６２】
［待機時間推定処理］
ここで、図１２を参照して、画像形成装置３Ａの待機時間推定処理について説明する（適宜、図４および図９を参照）。
待機時間算出部２５Ａは、印刷時間推定部２４からステップＳ１０６（図４）で算出した推定印刷時間Ｔ３を取得し（ステップＳ２３０１）、さらに待機時間算出部２５Ａは、回収時間記憶部１４２から平均回収時間Ｔ４を取得する（ステップＳ２３０２）。そして、待機時間算出部２５Ａは、推定印刷時間Ｔ３と平均回収時間Ｔ４／２との時間長を比較する（推定印刷時間＜平均回収時間／２？；ステップＳ２３０３）。
【００６３】
推定印刷時間Ｔ３＜平均回収時間Ｔ４／２である場合（ステップＳ２３０３，Ｙｅｓ）、平均回収時間Ｔ４／２から推定印刷時間Ｔ３を減算した時間を待機時間とする（ステップＳ２３０４）。
一方、推定印刷時間Ｔ３≧平均回収時間Ｔ４／２である場合（ステップＳ２３０３，Ｎｏ）、待機時間を０とする（ステップＳ２３０５）。
そして、待機時間算出部２５Ａは、ステップＳ２３０４またはステップＳ２３０５の処理を実行後、印刷ジョブ発行部２６に待機時間Ｔ２を出力する（ステップＳ２３０６）。
【００６４】
［印刷完了入力要求処理］
ここで、図１３を参照して、画像形成装置３Ａの印刷完了入力要求処理について説明する（適宜、図４および図９を参照）。
印刷完了検知部２３１は、画像形成装置３Ａの印刷物の排出口から、最終ページが排出されたことを検知したとき（ステップＳ２４０１）、回収完了入力要求メッセージ作成部２２１に検知信号を出力する（ステップＳ２４０２）。
【００６５】
回収完了入力要求メッセージ作成部２２１は、印刷ジョブ受付部２２から印刷ジョブを送信したクライアント装置２を識別する情報を取得し、クライアント装置２が備える画像表示装置（不図示）に回収完了ボタンを表示させる回収完了入力要求メッセージを作成し（ステップＳ２４０３）、通信部１１Ａに出力する。これにより、通信部１１Ａはクライアント装置２宛に回収完了入力要求メッセージを送信する（ステップＳ２４０４）。
【００６６】
《第３の実施形態》
第３の実施形態に係る画像形成装置３Ｂについて説明する。
画像形成装置３Ｂは、図１４に示すように、第１の実施形態に係る画像形成装置３に、さらに、回収時間計測部２７と、印刷完了検知部２３１Ａと、操作パネル制御部３２１と、操作パネル３３１とを備え、さらに、記憶部１４において、指定時間記憶部１４１の代わりに、回収時間記憶部１４２を備える。また、画像形成装置３Ｂは、第１の実施形態に係る画像形成装置３とは一部機能が異なる構成部を備える。これらの構成部には同名称別符号を付し、受信データ解析部２１Ｂ、時間計測部２３Ａ、待機時間算出部２５Ａとした。詳細な説明は後記する。
ここで、時間計測部２３Ａと、待機時間算出部２５Ａと、回収時間計測部２７と、回収時間記憶部１４２とは、第２の実施形態に係る画像形成装置３Ａと同様の処理を行うため、説明を便宜的に省略する。
その他の構成は同様なので、説明を便宜的に省略する。
【００６７】
印刷完了検知部２３１Ａは、例えば赤外線センサを備え、画像形成装置３Ｂの印刷物の排出口に設けられ、媒体の通過を検知する。そして、最終ページの媒体が通過したことを検知したときに、第２の実施形態における印刷完了検知部２３１とは異なり、操作パネル制御部３２１に検知信号を出力する。
【００６８】
操作パネル制御部３２１は、操作パネル３３１を制御して、操作パネル３３１の表示部に画面データを表示させる処理や、操作パネル３３１に入力された要求に応じた処理を行う構成部である。
第３の実施形態において、操作パネル制御部３２１は、検知信号を受信したときに、操作パネル３３１の表示部に「印刷物を回収したら確認ボタンを押下してください」というメッセージと、確認ボタンとを表示させる。この確認ボタンが押下されると、メッセージを消去（非表示）して、回収時間計測部２７に回収完了通知を出力する。
【００６９】
ここで、第３の実施形態における理想的な印刷猶予時間は、この確認ボタンが押下されるまでの回収時間である。この回収時間は、第３の実施形態に係る画像形成装置３Ｂによれば、クライアント装置２からの印刷ジョブを受信した時から、印刷物を回収しに来たユーザ６が画像形成装置３にて確認ボタンを押下した時までの時間である。すなわち、第３の実施形態における回収時間は、クライアント装置２の設置場所から画像形成装置３の設置場所までをユーザ６が片道移動するのに要する時間である。そのため、第３の実施形態における印刷猶予時間は、過去に計測した回収時間の平均値（平均回収時間）とする。
【００７０】
また、第３の実施形態における印刷ジョブ発行部２６が印刷ジョブを画像処理部１５に出力するタイミングは、第１の実施形態に係る画像形成装置３における図３に示すタイミングと同様である。ここで、図３のｔ2は、ユーザ６が操作パネル３３１に表示された「確認ボタン」が押下した時であり、図３のＴ１は回収時間であり、平均回収時間（印刷猶予時間）である。
【００７１】
操作パネル３３１は、ユーザ６が視認可能な情報を表示する表示部であり、かつ、ユーザ６からの要求を受け付ける入力部である。例えば、ＬＣＤ（Liquid Crystal Display）のような表示機能とタッチパッドのような位置入力機能との双方を兼ね備えたタッチパネルである。
【００７２】
受信データ解析部２１Ｂは、受信データを解析して、そこから得られたデータや情報を他の構成部に提供する構成部である。第３の実施形態において受信データ解析部２１Ｂは、受信データが印刷ジョブであれば、印刷ジョブを印刷ジョブ受付部２２に出力する。
【００７３】
《動作の説明》
画像形成装置３Ｂが行う処理動作について説明する。
ここで、画像形成装置３Ｂが行う印刷時間管理処理（図４）、時間計測処理（図７）、受信データ解析処理（図１１）、待機時間推定処理（図１２）については、第１の実施形態にかかる画像形成装置３、および第２の実施形態に係る画像形成装置３Ａと同様の処理が行われるので、説明を便宜的に省略する。
【００７４】
［回収完了通知処理］
ここで、図１５を参照して、画像形成装置３Ｂの回収完了通知処理動作について説明する（適宜、図１４を参照）。
印刷完了検知部２３１Ａは、最終ページが排出されたことを検知し（ステップＳ３１０１）、操作パネル制御部３２１に検知信号を送信する（ステップＳ３１０２）。検知信号を受信した操作パネル制御部３２１は、操作パネル３３１を制御して、未回収情報を表示させる（ステップＳ３１０３）。
ユーザ６は、操作パネル３３１に表示された未回収情報を確認して、操作パネル３３１に表示された確認ボタンを押下する（ステップＳ３１０４）。これにより、操作パネル制御部３２１は、操作パネル３３１を制御して、未回収情報を非表示にさせる（ステップＳ３１０５）。操作パネル制御部３２１は、ユーザにより確認ボタンが押下されたときに、回収完了通知を回収時間計測部２７に出力する（ステップＳ３１０６）。
その後のステップＳ３１０７からステップＳ３１１１の処理は、第２の実施形態における図１０のステップＳ２１０３からステップＳ２１０７の処理と同様であるため、説明を便宜的に省略する。
【００７５】
以上、本発明の実施形態について説明したが、本発明は前記した実施形態に限定されず、適宜変更して実施することが可能である。
たとえば、第３の実施形態において回収完了指示部である操作パネル３３１は、ユーザ６を特定する情報が記録されたＩＣ（Integrated Circuit）カードなどの記録媒体を読み取るＩＣカード読取機を備えるものであってもよい。これにより、ユーザ６がＩＣカード読取機にＩＣカードを読み取らせることで、回収完了指示が入力される。
このＩＣカードを用いる場合において、クライアント装置２から送信する印刷ジョブに個人情報を含めることで、正確な回収時間を計測することができる。
【００７６】
また、第１の実施形態において印刷完了指定時間をクライアント装置２から画像形成装置３に送信しているが、時間ではなく時刻であってもよい。例えば、印刷完了指定時刻が「１０：１０」でユーザ６により指定される。クライアント装置２は、印刷ジョブとともにこの印刷完了指定時刻を画像形成装置３に送信する。
この場合、画像形成装置３における待機時間算出部２５の処理が異なるため、その点を説明する（適宜、図６の待機時間推定処理動作についての説明を参照）。待機時間算出部２５は、待機時間を算出する際に、現在時刻（例えば１０：００）と、印刷完了指定時刻から推定印刷時間（例えば３分）だけ前の印刷開始予定時刻（１０：０７）とを比較する（図６のステップＳ３０３を参照）。そして、現在時刻から印刷開始予定時刻までの時間を待機時間（７分）とする。ここで、現在時刻が印刷予定時刻である場合、もしくは現在時刻が印刷予定時刻を過ぎていた場合（例えば、現在時刻が１０：０８）、待機時間を０とする。これにより、第１の実施形態に係る画像形成装置３は、印刷完了指定時刻であっても同様の処理を行うことができる。
【００７７】
また、第１〜第３の実施形態において、画像形成装置３，３Ａ，３Ｂが受信した印刷ジョブの印刷時間（図３および図９におけるｔ1〜ｔ2）において、他の印刷ジョブがすでに実行待ちである場合、印刷ジョブを送信したクライアント装置２に対して、他の印刷ジョブがあるために待ち時間が発生する旨の情報をクライアント装置２に送信して、クライアント装置２が備える画面表示部（不図示）に警告表示させてもよい。
【００７８】
この待ち時間が発生するか否かの判定について、図３および図９を用いて説明する。推定印刷時間Ｔ３と、算出した待機時間Ｔ２と、印刷ジョブを受信した時刻ｔ０とから、印刷ジョブの推定印刷時間Ｔ３のスタート時刻ｔ1とエンド時刻ｔ2を取得することができる。このｔ1〜ｔ2において、他の印刷ジョブの推定印刷時間Ｔ３（同様にｔ1〜ｔ2）と重複するか否かで、待ち時間が発生するか否かを判定する。重複する場合は待ち時間が発生する。
【００７９】
また、第２および第３の実施形態において画像形成装置３Ａ（３Ｂ）は、印刷完了検知部２３１（２３１Ａ）の代わりに、最終ページの印刷物が排紙トレイに排出されたときにトリガを出力する構成部や、これから最終ページの印刷物が排紙トレイに排出されることを出力する構成部を備えてもよい。この出力されるトリガを、画像形成装置３Ａの回収完了入力要求メッセージ作成部２２１や、画像形成装置３Ｂの操作パネル制御部３２１が処理を実行するトリガとすればよい。
例えば、画像形成装置３Ａ（３Ｂ）は、画像形成部１６が最終ページを印刷した時にトリガを出力する構成部や、画像形成部１６が給紙カセットから最終ページの媒体を搬送した時にトリガを出力する構成部などであってもよい。
【符号の説明】
【００８０】
１      画像形成システム
２（２ａ，２ｂ，・・・）  クライアント装置
３，３Ａ，３Ｂ  画像形成装置
４      印刷時間管理部
６      ユーザ
１１，１１Ａ  通信部
１２    制御部
１３    タイマ部
１４    記憶部
１５    画像処理部
１６    画像形成部
２１，２１Ａ，２１Ｂ  受信データ解析部
２２    印刷ジョブ受付部
２３，２３Ａ  時間計測部
２４    印刷時間推定部
２５，２５Ａ  待機時間算出部
２６    印刷ジョブ発行部
２７    回収時間計測部
１４１  指定時間記憶部
１４２  回収時間記憶部
２２１  回収完了入力要求メッセージ作成部
２３１，２３１Ａ  印刷完了検出部
３２１  操作パネル制御部
３３１  操作パネル
ＮＷ    ネットワーク網
【図１】
2013111914.tif 000003
【図２】
2013111914.tif 000004
【図３】
2013111914.tif 000005
【図４】
2013111914.tif 000006
【図５】
2013111914.tif 000007
【図６】
2013111914.tif 000008
【図７】
2013111914.tif 000009
【図８】
2013111914.tif 000010
【図９】
2013111914.tif 000011
【図１０】
2013111914.tif 000012
【図１１】
2013111914.tif 000013
【図１２】
2013111914.tif 000014
【図１３】
2013111914.tif 000015
【図１４】
2013111914.tif 000016
【図１５】
2013111914.tif 000017